(57)【要約】【課題】  利用者が直接検索キーワードを設定することなく、自分に必要な情報がどの程度あるかを一目で認識することが可能な情報提示装置を提供する。【解決手段】  利用者端末１００に、コンテンツ提示手段３３０がコンテンツを送信すると、履歴収集手段３４０は閲覧履歴を収集する。そして、興味キーワード生成手段３４０が、閲覧履歴にあるコンテンツから興味キーワードを生成し、ユーザＩＤと対応付けて興味キーワード記憶手段３６０に記憶する。次回そのユーザＩＤでアクセスがあった場合には、興味キーワード抽出手段３７０が対応する興味キーワードを抽出し、抽出した興味キーワードでコンテンツ件数提示手段３８０がコンテンツ記憶手段３１０を検索し、該当するコンテンツの件数を利用者端末１００に提示する。【選択図】  図１
2007148625.tif 000002
【特許請求の範囲】
【請求項１】
検索キーワードとコンテンツが対応付けて記録されたコンテンツ記憶手段と、
利用者ごとの検索または閲覧履歴を記録する履歴収集手段と、
前記収集された検索または閲覧履歴に基づいて、各利用者の興味を反映した検索キーワードである興味キーワードを生成する興味キーワード生成手段と、
前記生成された興味キーワードを利用者別に記憶する興味キーワード記憶手段と、
利用者からアクセスがあった場合に、当該利用者に対応する興味キーワードを前記興味キーワード記憶手段から抽出する興味キーワード抽出手段と、
前記抽出した興味キーワードにより前記コンテンツ記憶手段を検索し、対応するコンテンツの件数を抽出するコンテンツ検索手段と、
前記抽出されたコンテンツの件数を前記興味キーワード別に分類して、提示する件数提示手段と、
を有することを特徴とする情報提示装置。
【請求項２】
前記コンテンツ記憶手段に記憶された各コンテンツには分類が付与されており、
前記件数提示手段は、抽出されたコンテンツの件数を前記興味キーワード別および付与された分類別に区分して提示するものであることを特徴とする請求項１に記載の情報提示装置。
【請求項３】
利用者がコンテンツを閲覧するための端末装置である利用者端末と、利用者に対してコンテンツの提供を行うサーバコンピュータである処理サーバがネットワークを介して接続された構成であって、
前記処理サーバは、前記コンテンツ記憶手段、前記履歴収集手段、前記興味キーワード生成手段、前記興味キーワード記憶手段、前記興味キーワード抽出手段、前記コンテンツ検索手段、前記件数提示手段を備えており、前記利用者端末に対して、該当したコンテンツの件数を提示するものであることを特徴とする請求項１または請求項２に記載の情報提示装置。
【発明の詳細な説明】
【技術分野】
【０００１】
本発明は、利用者の嗜好に合ったコンテンツを、より簡易に提示するための技術に関する。
【背景技術】
【０００２】
従来より、文書や画像等、様々な情報の検索が行われている。近年では、インターネットの普及により、多くの人が多数のＷｅｂサイトから好みの情報を検索することも行われるようになってきている。
【発明の開示】
【発明が解決しようとする課題】
【０００３】
しかしながら、従来の検索手法では、検索キーワードをうまく設定することができず、目的とする情報を上手く検索することができない、検索を行うアクション自体が利用者の負荷となる、利用者にとって有益な情報を知らず知らずのうちに見逃している可能性がある等の問題がある。
【０００４】
上記のような点に鑑み、本発明は、利用者が直接検索キーワードを設定することなく、自分に必要な情報がどの程度あるかを一目で認識することが可能な情報提示装置を提供することを課題とする。
【課題を解決するための手段】
【０００５】
上記課題を解決するため、本発明では、利用者ごとの検索または閲覧履歴等の行動履歴を記録する履歴収集手段と、前記収集された検索または閲覧履歴に基づいて、各利用者の興味を反映した検索キーワードである興味キーワードを生成する興味キーワード生成手段と、前記生成された興味キーワードを利用者べつに記憶する興味キーワード記憶手段と、利用者からアクセスがあった場合に、当該利用者に対応する興味キーワードを前記興味キーワード記憶手段から抽出する興味キーワード抽出手段と、前記抽出した興味キーワードにより前記コンテンツを検索し、対応するコンテンツの件数を抽出するコンテンツ抽出手段と、前記抽出されたコンテンツの件数を前記興味キーワード別に分類して、提示する件数提示手段を有する情報提示装置を提供する。
【発明の効果】
【０００６】
本発明によれば、検索または閲覧等の利用者の行動履歴を分析して興味キーワードを生成し、興味キーワードが登録してある利用者からのアクセスがあった場合は、対応する興味キーワードを抽出し、各興味キーワードに対応するコンテンツの件数を興味キーワード別に分類して提示するようにしたので、利用者が直接興味キーワードを設定することなく、自分に必要な情報がどの程度あるかを一目で認識することが可能となるという効果を奏する。
【発明を実施するための最良の形態】
【０００７】
（１．装置構成）
以下、本発明の好適な実施形態について図面を参照して詳細に説明する。図１は、本発明に係る情報提示装置の一実施形態を示す構成図である。図１において、１００は利用者端末、２００はネットワーク、３００は処理サーバ、３１０はコンテンツ記憶手段、３２０はネットワークインターフェイス、３３０はコンテンツ提示手段、３４０は履歴収集手段、３５０は興味キーワード生成手段、３６０は興味キーワード記憶手段、３７０は興味キーワード抽出手段、３８０はコンテンツ件数提示手段である。
【０００８】
利用者端末１００は、ネットワーク２００を介して処理サーバ３００とのデータの送受信が可能な端末装置であり、インターネット接続機能を有する汎用のコンピュータにより実現可能である。ネットワーク２００は、コンピュータ間のデータの送受信を行うための通信回線であり、本実施形態では、インターネットに対応している。
【０００９】
処理サーバ３００は、利用者端末１００とのデータの送受信を行うためのＷｅｂサーバ、データベースを扱うためのデータベースサーバとしての機能を有しており、コンテンツ記憶手段３１０、ネットワークインターフェイス３２０、コンテンツ提示手段３３０、履歴収集手段３４０、興味キーワード生成手段３５０、興味キーワード記憶手段３６０、興味キーワード抽出手段３７０、コンテンツ件数提示手段３８０を有している。
【００１０】
コンテンツ記憶手段３１０は、利用者が閲覧することを目的とする文書や画像等のコンテンツを記憶した記憶手段である。ネットワークインターフェイス３２０は、ネットワーク２００を介して利用者端末１００とデータの送受信を行うためのインターフェースである。コンテンツ提示手段３３０は、利用者端末１００からの要求に応じてコンテンツをコンテンツ記憶手段３１０から抽出し、利用者端末１００に提示する機能を有している。履歴収集手段３４０は、利用者端末１００から直接指定された検索キーワード、利用者端末１００に対して提示したコンテンツを行動履歴として収集する機能を有している。ここでの「行動」とは、装置を利用した検索や、閲覧等の行動を示している。興味キーワード生成手段３５０は、利用者端末１００に提示したコンテンツの履歴から分析して興味キーワードを決定し、直接指定された検索キーワードとともに利用者ごとの興味キーワードを設定する機能を有している。興味キーワード記憶手段３６０は、利用者ごとの興味キーワードを記憶する機能を有している。興味キーワード抽出手段３７０は、利用者端末１００からアクセスがあった際、その利用者の興味キーワードを興味キーワード記憶手段３６０から抽出する機能を有している。コンテンツ件数提示手段３８０は、興味キーワード抽出手段３７０が抽出した興味キーワードでコンテンツ記憶手段３１０を検索し、各興味キーワードごとのコンテンツの件数を抽出し、利用者端末１００に提示する機能を有している。
【００１１】
（２．情報収集処理）
次に、図１に示したシステムの処理動作について説明する。本システムの処理は、情報収集処理と件数提示処理の２つに大別される。ここでは、まず、情報収集処理について説明する。図２は、図１に示したシステムにおける情報収集処理の概要を示すフローチャートである。まず、利用者端末１００から処理サーバ３００にアクセスがあると、処理サーバ３００はアクセスしてきた利用者の認識を行う。本実施形態では、利用者端末１００に対してユーザＩＤの入力を求めることにより行う。なお、利用者の認識は、ユーザＩＤを入力させることによる認証に限られるものではなく、ブラウザのクッキー情報を利用する等、利用者を特定することができれば、どのような手法であっても良い。
【００１２】
利用者の認識後、処理サーバ３００がコンテンツを提示した場合には、履歴収集手段３４０が、提示したコンテンツを、利用者が閲覧した閲覧履歴として収集する（Ｓ１）。そして、興味キーワード生成手段３５０が、収集したコンテンツに文章等の文字列が含まれるかどうかを判断し、文字列が含まれている場合は、形態素解析を行う（Ｓ２）。そして、形態素解析の結果、切り出された文字列の中から、適切だと判断されるものを興味キーワードとして生成する（Ｓ３）。これは、例えば、文章中に所定数以上含まれる文字列を興味キーワードとして適切だと判断することにより行う。一方、検索キーワードが利用者端末１００から直接指定された場合は、興味キーワード生成手段３５０は、指定されたものをそのまま興味キーワードとして設定する。さらに、興味キーワード生成手段３５０は、設定した興味キーワードをユーザＩＤと対応付けて興味キーワード記憶手段３６０に登録する（Ｓ４）。このような処理を、各利用者に対して行っていくことにより、利用者ごとに適した興味キーワードが、興味キーワード記憶手段３６０に蓄積されることになる。
【００１３】
（３．件数提示処理）
次に、件数提示処理について説明する。図３は、図１に示したシステムにおける件数提示処理の概要を示すフローチャートである。まず、利用者端末１００から処理サーバ３００にアクセスがあると、処理サーバ３００はアクセス元の利用者端末１００に対してユーザＩＤの入力を求める。そして、処理サーバ３００がユーザＩＤを受け取ると、興味キーワード抽出手段３７０が、そのユーザＩＤで興味キーワード記憶手段３６０を検索し、対応する興味キーワードを抽出する（Ｓ１１）。なお、ここでも、ユーザＩＤの入力に代えて、ブラウザのクッキー情報等を利用して利用者を特定しても良い。
【００１４】
続いて、コンテンツ件数提示手段３８０が、興味キーワード抽出手段３７０から興味キーワードを受け取り、この興味キーワードでコンテンツ記憶手段３１０を検索する（Ｓ１２）。興味キーワード抽出手段３７０が、興味キーワード記憶手段３６０から複数の興味キーワードを抽出した場合には、抽出した全ての興味キーワードを用いてコンテンツの検索を行う。各興味キーワードについて検索を行ったら、コンテンツ件数提示手段３８０は、各興味キーワードについての該当件数を集計し、所定の画面データを生成し、利用者端末１００に提示する（Ｓ１３）。具体的には、コンテンツ件数提示手段３８０が生成した画面データをネットワークインターフェイス３２０に渡し、ネットワークインターフェイス３２０がネットワーク２００を介して、アクセス元の利用者端末１００に送信し、利用者端末１００が受信した画面データを画面に表示させることにより件数の提示が行われることになる。
【００１５】
ここで、件数が提示された際の利用者端末１００の画面の様子を図４に示す。図４に示すように件数は表形式で提示される。図４の例は、興味キーワードとして「ＩＣカード」、「セキュリティ」、「携帯電話」の３つが設定されており、その該当件数が、コンテンツ記憶手段３１０内全体で、それぞれ「２２件」、「１７件」、「３２件」であったことを示している。また、本システムでは、コンテンツ記憶手段３１０において、記憶されているコンテンツに分類を付与しておくことができる。図４の例では、分類Ａ、Ｂ、Ｃの３つに分類した場合を示しており、分類および興味キーワードの両方に該当する件数を提示している。また、図４に示した各件数の数字には下線が付されているが、この部分にはＵＲＬのリンクが設定されている。したがって、この下線付きの数字を利用者がクリックすると、設定されているＵＲＬで特定される情報にアクセスし、該当するコンテンツのタイトルが一覧表示され、そこから、さらにタイトルを選択することにより、コンテンツを閲覧することができる。
【００１６】
図４に示したように、各興味キーワード別の該当件数が一覧表示され、しかも、この興味キーワードは、自分が過去に直接指定したものか、または過去閲覧したコンテンツを分析して設定されたものであるため、自分が興味のある内容に適したものとなっている。すなわち、利用者は、処理サーバ３０に、アクセスするだけで、自分の嗜好に合うコンテンツがどの程度あるかを、その検索キーワードと対応付けて、瞬時に知ることができる。
【００１７】
以上、本発明の好適な実施形態について説明したが、本発明は上記実施形態に限定されず、種々の変形が可能である。例えば、上記実施形態では、利用者端末１００からネットワークを介して処理サーバ３００にアクセスし、処理サーバ３００側で処理を行うようにしたが、スタンドアローン型のコンピュータに、コンテンツ記憶手段３１０、コンテンツ提示手段３３０、履歴収集手段３４０、興味キーワード生成手段３５０、興味キーワード記憶手段３６０、興味キーワード抽出手段３７０、コンテンツ件数提示手段３８０としての機能を搭載させ、そのコンピュータに接続されたディスプレイ装置に対して、件数の提示を行うようにしても良い。
【図面の簡単な説明】
【００１８】
【図１】本発明に係る情報提示装置の一実施形態を示す構成図である。
【図２】図１に示したシステムにおける情報収集処理の概要を示すフローチャートである。
【図３】図１に示したシステムにおける件数提示処理の概要を示すフローチャートである。
【図４】件数が提示された際の利用者端末１００の画面の様子を示す図である。
【符号の説明】
【００１９】
１００・・・利用者端末
２００・・・ネットワーク
３００・・・処理サーバ
３１０・・・コンテンツ記憶手段
３２０・・・ネットワークインターフェイス
３３０・・・コンテンツ提示手段
３４０・・・履歴収集手段
３５０・・・興味キーワード生成手段
３６０・・・興味キーワード記憶手段
３７０・・・興味キーワード抽出手段
３８０・・・コンテンツ件数提示手段
【図１】
2007148625.tif 000003
【図２】
2007148625.tif 000004
【図３】
2007148625.tif 000005
【図４】
2007148625.tif 000006